(57)【特許請求の範囲】
【請求項１】
ケース本体に対して所定の指示領域に亘って移動指示可能に収納支持された指示指針と、
前記指示指針を覆うようにケース本体に配置され、外部から前記指示指針が視認可能な透明又は半透明材からなる保護カバーと、
前記保護カバーに対して、前記指示指針の移動方向に沿うように移動自在に、かつ、外部から操作可能に設けられ、前記指示指針が指示可能な所定の指示領域を設定レベル許容領域と設定レベル不許容領域とに区画する区画部材と
を備え、前記区画部材の上面は前記ケース本体の上面と前記保護カバーの上面のうち少なくともいずれか一方の上面よりも下方に位置することを特徴とする計器。
【請求項２】
前記ケース本体の内周面と前記保護カバーの外周面との間には、少なくとも前記指示指針が指示可能な所定の指示領域に亘って摺動溝が形成され、前記区画部材は同摺動溝に沿って摺動可能に配置されたことを特徴とする請求項１に記載の計器。
【請求項３】
前記ケース本体と前記保護カバーのうち少なくともいずれか一方において、少なくとも前記指示指針が指示可能な所定の指示領域に対応する部分には、第１の色が備えられ、前記区画部材は、第１の色とは異なる第２の色が備えられるとともに、前記第１の色の部分に対して第２の色の部分が保護カバーの外部から見て上に重なるように配置されていることを特徴とする請求項１又は請求項２に記載の計器。
【請求項４】
前記所定の指示領域において、前記区画部材により区画されるとともに前記保護カバーの第１の色により保護カバー外部へ示される領域は設定レベル許容領域又は設定レベル不許容領域を示し、前記区画部材の第２の色にて示される領域は設定レベル不許容領域又は設定レベル許容領域を示すことを特徴とする請求項３に記載の計器。
【請求項５】
前記ケース本体と前記保護カバーのうち少なくともいずれか一方には、前記指示指針が指示する指示レベルを示す目盛が備えられたことを特徴とする請求項１乃至請求項４のうちいずれかに記載の計器。
【請求項６】
前記保護カバーにおいて、その上面には前記指示指針が指示する指示レベルを示す目盛が設けられ、下面には前記第１の色を備えたことを特徴とする請求項３又は請求項４に記載の計器。
【発明の詳細な説明】
【０００１】
【発明の属する技術分野】
本発明は、計器に係わり、詳しくは指示指針によって指示可能な所定の指示領域を設定レベル許容領域と設定レベル不許容領域とに区画する区画部材を有する計器に関するものである。
【０００２】
【従来の技術】
従来、空気圧等を必要とする機器に圧力を提供する場合、その圧力を計るための計器として圧力計がある。前記圧力計は、ケース本体に対して移動指示可能に収納支持された指示指針と、前記指示指針を覆うようにケース本体に配置され、外部から前記指示指針が視認可能な透明又は半透明材からなる保護ガラスと、前記指示指針が指示する指示レベルを示す目盛板を備えている。そして、前記圧力計は、ケース本体に支持された受圧部にて受圧すると指示指針が移動表示するようになっている。
【０００３】
従来の圧力計としては、指示指針が指示可能な指示領域を前記機器に適正な圧力範囲とそれ以外の圧力範囲とに区画する可動指針と固定指針とを備えたものが知られている。すなわち、可動指針と固定指針とにより、指示指針が指示可能な指示領域を、機器に適正な圧力範囲である設定レベル許容領域と、それ以外の圧力範囲である設定レベル不許容領域とに区画するようにしている。
【０００４】
そして、前記指示指針が設定レベル許容領域内の部分を指示していれば機器には適正な圧力が提供されていることになる。反対に、前記指示指針が設定レベル不許容領域内の部分を指示していれば機器には適正な圧力よりも小さいかあるいは大きな圧力が提供されていることになる。
【０００５】
ところで、上記のような圧力計では、設定レベル許容領域を変更あるいは調整する場合には、可動指針を固定指針に係合させることにより、目盛板上の固定指針を調整すべき上限位置あるいは下限位置へ移動させ、その後、可動指針を下限位置あるいは上限位置へ移動させて配置するようにしている。
【０００６】
尚、指示指針が指示する指示領域における設定レベル許容領域と設定レベル不許容領域とを変更あるいは調整するものには、圧力計の保護ガラスを取り外さないで外部から操作可能に操作部材を設けたものと、保護ガラスを取り外して変更あるいは調整するものとがある。
【０００７】
【発明が解決しようとする課題】
ところが、前者の場合、設定レベル許容領域と設定レベル不許容領域とを変更あるいは調整した後において、不用意に外部から操作部材に接触すると、設定レベル許容領域がずれ、計器が機器に適正な圧力範囲を示さなくなり、その結果、適正な圧力を供給しているか否かの判定ができなくなるという問題があった。
【０００８】
上記のような問題を解決するために、不用意に外部から操作部材に接触しても可動指針が移動しないようにするための機構等を構成することも考えられるが、そのために部品点数が多くなるとともに、構造が複雑になる問題があった。
【０００９】
また、後者の場合には、保護ガラスを取り外した後で操作部材を直接操作させていたので、取り外した保護ガラスを落とす等の理由から保護ガラスを破損させてしまうことがあった。また、保護ガラスの取り外しと取り付けに時間がかかり、結果として操作部材の位置を変更あるいは調整するのに時間がかかったり、保護ガラスの取り外しに特別の工具を必要とするなどの欠点があった。
【００１０】
そこで本発明は、保護ガラス等の保護カバーの外部から操作可能に設けられた区画部材を備え、保護カバーを取り外すことなく簡単に、かつ、正確に機器が必要とする指示範囲を設定できる計器を提供することを目的としている。
【００１１】
【課題を解決するための手段】
上記問題点を解決するために請求項１の発明では、ケース本体に対して所定の指示領域に亘って移動指示可能に収納支持された指示指針と、前記指示指針を覆うようにケース本体に配置され、外部から前記指示指針が視認可能な透明又は半透明材からなる保護カバーと、前記保護カバーに対して、前記指示指針の移動方向に沿うように移動自在に、かつ、外部から操作可能に設けられ、前記指示指針が指示可能な所定の指示領域を設定レベル許容領域と設定レベル不許容領域とに区画する区画部材とを備え、前記区画部材の上面は前記ケース本体の上面と前記保護カバーの上面のうち少なくともいずれか一方の上面よりも下方に位置する計器をその要旨としている。
【００１２】
請求項２の発明は、請求項１において、前記ケース本体の内周面と前記保護カバーの外周面との間には、少なくとも前記指示指針が指示可能な所定の指示領域に亘って摺動溝が形成され、前記区画部材は同摺動溝に沿って摺動可能に配置されたことをその要旨としている。
【００１４】
請求項３の発明は、請求項１又は請求項２において、前記ケース本体と前記保護カバーのうち少なくともいずれか一方において、少なくとも前記指示指針が指示可能な所定の指示領域に対応する部分には、第１の色が備えられ、前記区画部材は、第１の色とは異なる第２の色が備えられるとともに、前記第１の色の部分に対して第２の色の部分が保護カバーの外部から見て上に重なるように配置されていることをその要旨としている。
【００１５】
請求項４の発明は、請求項３において、前記所定の指示領域において、前記区画部材により区画されるとともに前記保護カバーの第１の色により保護カバー外部へ示される領域は設定レベル許容領域又は設定レベル不許容領域を示し、前記区画部材の第２の色にて示される領域は設定レベル不許容領域又は設定レベル許容領域を示すことをその要旨としている。
【００１６】
請求項５の発明は、請求項１乃至請求項４のうちいずれかにおいて、前記ケース本体と前記保護カバーのうち少なくともいずれか一方には、前記指示指針が指示する指示レベルを示す目盛が備えられたことをその要旨としている。
【００１７】
請求項６の発明は、請求項３又は請求項４において、前記保護カバーにおいて、その上面には前記指示指針が指示する指示レベルを示す目盛が設けられ、下面には前記第１の色を備えたことをその要旨としている。
【００１８】
（作用）
請求項１の発明においては、指示指針が指示可能な所定の指示領域を設定レベル許容領域と設定レベル不許容領域とに区画するときには、前記指示指針の移動方向に沿うように、区画部材を保護カバーの外部から操作する。この結果、保護カバーを取り外すことなく簡単に指示指針が指示可能な所定の指示領域を設定レベル許容領域と設定レベル不許容領域とに区画することができる。また、区画部材の上面は前記ケース本体の上面と前記保護カバーの上面のうち少なくともいずれか一方の上面よりも下方に位置するため、区画部材への外部からの接触を容易に行うことはできなくなる。この結果、指示指針が指示可能な設定レベル許容領域と設定レベル不許容領域とを適正に区画した区画部材をその適正に区画した状態で保持できる。
【００１９】
請求項２の発明においては、指示指針が指示可能な所定の指示領域を設定レベル許容領域と設定レベル不許容領域とに区画するときには、摺動溝内に配置された区画部材を保護カバーの外部から摺動させる。
【００２１】
請求項３の発明においては、ケース本体と保護カバーのうち少なくともいずれか一方における、少なくとも指示指針が指示可能な所定の指示領域に対応する部分と区画部材とには、互いにそれぞれ異なる色が備えられ、第１の色の部分に対して第２の色の部分が保護カバーの外部から見て上に重なるように配置されているので、指示指針が指示可能な所定の指示領域に対応する部分と区画部材とを両色により区別することができる。
【００２２】
請求項４の発明においては、指示指針が指示可能な設定レベル不許容領域を区画部材の第２の色にて示すようにすれば、指示指針が指示可能な所定の指示領域において区画部材にて覆われていない保護カバーの第１の色の部分が設定レベル許容領域になる。また、指示指針が指示可能な設定レベル許容領域を区画部材の第２の色にて示すようにすれば、指示指針が指示可能な所定の指示領域において区画部材にて覆われていない保護カバーの第１の色の部分が設定レベル不許容領域になる。
【００２３】
請求項５の発明においては、従来と異なり、前記指示指針が指示する指示レベルを示す目盛板を別に設ける必要がない。この結果、別途の目盛板を設けるスペースが不要となるため、そのスペース分、圧力計を薄くすることができ、従来よりも薄型である計器を提供することができる。
【００２４】
請求項６の発明において前記指示指針が指示する指示レベルを示す目盛が、前記保護カバーの上面に設けられている。また、前記保護カバーの下面には、前記第１の色を備えている。このため、保護カバーが目盛板を兼用するため、目盛板を別に設ける必要がない。この結果、別途の目盛板を設けるスペースが不要となるため、そのスペース分、圧力計を薄くすることができ、従来よりも薄型である計器を提供することができる。
【００２５】
【発明の実施の形態】
以下、本発明を空気圧を計る圧力計に具体化した一実施の形態を図１〜図５に従って説明する。
【００２６】
図１及び図２に、本実施の形態に係る計器としての空気圧を計る圧力計を示す。図３は圧力計の要部断面図を示している。また、図２及び図３において、左方を上方、右方を下方という。
【００２７】
圧力計１は、ケース本体２、指示指針３、透明カバー４、及び一対のセーフティマーク板５を備えている。ケース本体２の上部は、有底円筒状に形成され、同ケース本体２の上部には断面円形をなす収納凹部２ａが形成されている。一方、ケース本体２の上部内周面には係止段部２ｂが環状に形成されている。また、ケース本体２の下部は柱状をなし、その外周には雄ねじが形成されているとともに、中心には貫通孔２ｃが形成されている。
【００２８】
前記収納凹部２ａ内には、受圧部６が配置されている。前記受圧部６には、図示しないブルドン管が内装されている。そして、同ブルドン管は、圧力に応じて変位自在に支持され、前記貫通孔２ｃからの空気圧を受けることによって変位する。また、ブルドン管の先端には、前記ブルドン管の変位により移動可能な指示指針３が連結されている。
【００２９】
前記係止段部２ｂには、保護カバーとしての透明カバー４が載置されている。前記透明カバー４は、透明のプラスチックによりほぼ円板状に形成されているとともに、ケース本体２の上部内周を密閉している。そして、前記透明カバー４は、前記収納凹部２ａ内に収納された前記指示指針３を覆うように前記ケース２に配置されるとともに、その外部からは同指示指針３が視認可能である。
【００３０】
図３に示すように、前記透明カバー４の外周面には、収納凹部４ａが環状に形成され、前記透明カバー４における同収納凹部４ａより上に位置（図３において左方寄り位置）する部分の外周面は、同収納凹部４ａより下に位置（図３において右方寄り位置）する部分の外周面よりその径が短くされている。そして、同収納凹部４ａと前記ケース本体２の内周面との間には、断面がほぼＬ字形をなすとともに環状をなす摺動溝７が形成されており、同摺動溝７内には、セーフティマーク板５が配置されている。
【００３１】
また、前記ケース本体２の上面と前記透明カバー４の上面は面一に配置されており、前記摺動溝７の上部は外部に開口されている。
図３に示すように、前記透明カバー４の上面において前記摺動溝７の上方には、指示指針３が指示する指示レベルを示す目盛４ｂが印刷されている。尚、図１においては、説明の便宜上、一部の目盛のみ図示されている。また、前記透明カバー４の上面において同所定の目盛４ｂに対応して数値４ｃが印刷されている。そして、前記透明カバー４の下面における前記摺動溝７、目盛４ｂの下方付近には、所定の幅を有するグリーンゾーン８が印刷による塗布膜にてリング状に形成されている。前記グリーンゾーン８の所定の幅（透明カバー４における径方向の長さ）は、収納凹部４ａの透明カバー４における径方向の長さよりも短くされており、後記するセーフティマーク板５にて覆われたとき、透明カバー４の外部から視認できない幅とされている。
【００３２】
本実施の形態では、グリーン（緑色）にて第１の色が構成されている。
また、透明カバー４の下面中央部には、円柱状の軸部４ｄが形成されている。さらに、図１に示すように、透明カバー４の上面において、指示指針３が指示しない領域には、印刷による塗布によって白色の遮蔽膜４ｅが半円状に形成されている。前記遮蔽膜４ｅにおいて、グリーンゾーン８の上方に位置するように、マスキングにより遮蔽膜４ｅが形成されていない部分が設けられ、同部分により空気圧の単位４ｆが表示されている。前記単位４ｆの下方には、グリーンゾーン８が施されているため、単位４ｆを透明カバー４の外部から見ると緑色に見える。
【００３３】
図１に示すように、前記指示指針３は、アルミ板等の金属板により形成され、その中央部３ａはリング状に形成されている。そして、前記中央部３ａには、挿通孔３ｂが形成されている。一方、指示指針３の先端には、針部３ｃが形成されている。そして、挿通孔３ｂに前記透明カバー４の軸部４ｄが挿通され、前記指示指針３は、同軸部４ｄを軸にして、回動可能に支持されている。尚、針部３ｃの先端は、前記透明カバー４のグリーンゾーン８に対して、重なり合わない長さとされている。
【００３４】
ここで、前記ブルドン管が空気圧の大きさに応じて変位したとき、その変位によって前記指示指針３の針部３ｃが指示し得る領域を指示領域Ａとしており、本実施の形態では、図１に一点鎖線で示す範囲を指示領域Ａとしている。
【００３５】
図４及び図５は、セーフティマーク板５のそれぞれ平面図及び側面図を示している。尚、一対のセーフティマーク板５は同一構成である。
図４及び図５に示すように、前記セーフティマーク板５は、赤色をなす不透明プラスチックにより円弧状に形成されているとともに、断面がほぼＬ字形に形成されている。そして、セーフティマーク板５の上面には抜防止段部５ａが形成されている。
【００３６】
一方、図１〜図３に示すように、前記セーフティマーク板５は、前記摺動溝７内において、同摺動溝７に沿って摺動可能に配置されているとともに、同摺動溝７に対して離脱不能に支持されている。すなわち、セーフティマーク板５は、前記透明カバー４の外部から操作可能となっており、前記透明カバー４に対して、前記指示指針３が指示し得る指示領域Ａに沿うように移動自在に設けられている。また、セーフティマーク板５の上面は、摺動溝７を形成しているケース本体２及び透明カバー４の上面より下方に配置されている。このため、不用意に透明カバー４の外部からセーフティマーク板５に接触しにくくなっている。
【００３７】
ここで、前記セーフティマーク板５を前記指示領域Ａに沿うように移動させるときには、前記摺動溝７の開口から先の尖ったもの、例えば、シャープペンシルの先端を挿入し、前記セーフティマーク板５における移動させたい方向の端面とは反対側の端面を同方向へ押圧する。
【００３８】
また、前記セーフティマーク板５には、第２の色としての赤色が全体に施されており、同セーフティマーク板５は、圧力計１におけるレッドゾーン９を形成している。そして、図３に示すように、セーフティマーク板５は前記グリーンゾーン８より上方に配置されているため、前記セーフティマーク板５によって形成される領域、すなわち、前記レッドゾーン９においては、前記透明カバー４の外部から緑色を視認することはできない。このことにより、前記指示領域Ａは、グリーンゾーン８の一部にて示される緑色と、セーフティマーク板５によるレッドゾーン９の少なくとも一部にて示される赤色とにより構成される。
【００３９】
そして、前記指示領域Ａにおけるグリーンゾーン８を設定レベル許容領域Ｂとし、同指示領域Ａにおけるレッドゾーン９を設定レベル不許容領域Ｃとしている。
【００４０】
尚、セーフティマーク板５において、遮蔽膜４ｅ下にある部分は、同遮蔽膜４ｅにより外部から視認不能となる。
本実施の形態では、セーフティマーク板５にて区画部材が構成されている。
【００４１】
次に、上記のように構成された本実施の形態の圧力計１の作用を説明する。
機器に適正な圧力を提供するためには、圧力計に機器にとって適正となる圧力の範囲が示される必要がある。本実施の形態の圧力計１は、機器にとって適正となる圧力範囲の上限値及び下限値、すなわち、設定レベル許容領域Ｂを示すために、一対のセーフティマーク板５を備えている。
【００４２】
以下、図１の左側のセーフティマーク板５を第１のセーフティマーク板５といい、右側のセーフティマーク板５を第２のセーフティマーク板５という。
機器にとって適正となる圧力の範囲を設定するときには、まず、第１のセーフティマーク板５を透明カバー４の外部から操作する。具体的には、前記摺動溝７の開口から先の尖ったもの、例えば、シャープペンシルの先端を挿入し、セーフティマーク板５における移動させたい方向の端面１０と反対側の端面１１を同方向へ押圧し、セーフティマーク板５を移動する。このとき、第１のセーフティマーク板５の端面１０を機器にとって適正となる圧力の範囲の下限値に合わせる。
【００４３】
次に、第２のセーフティマーク板５における移動させたい方向の端面１２と反対側の端面１３を同方向へ押圧し、セーフティマーク板５を移動する。このとき、第２のセーフティマーク板５の端面１２を機器にとって適正となる圧力の範囲の上限値に合わせる。この結果、第１のセーフティマーク板５と第２のセーフティマーク板５との間には、機器にとって適正となる圧力の範囲としての設定レベル許容領域Ｂが形成される。また、第１のセーフティマーク板５及び第２のセーフティマーク板５が示す範囲には、機器にとって不適正となる圧力の範囲としての設定レベル不許容領域Ｃが形成される。ここで、第１のセーフティマーク板５が示す範囲は、適正な圧力よりも小さな値の領域を示し、第２のセーフティマーク板５が示す範囲は、適正な圧力よりも大きな値の領域を示す。また、設定レベル許容領域Ｂはグリーンゾーン８の緑色で示され、設定レベル不許容領域Ｃはセーフティマーク板５の赤色で示される。
【００４４】
上記のように、設定レベル許容領域Ｂと設定レベル不許容領域Ｃとを設定した後、指示領域Ａにおいて指示指針３が指示する位置が設定レベル許容領域Ｂ又は設定レベル不許容領域Ｃに位置するか否かを確認することにより、指示指針３が機器にとって適正となる圧力の範囲を示しているか否かを判断することができる。
【００４５】
以上詳述したように、本実施の形態に係る計器としての空気圧を計る圧力計によれば、以下の効果を得ることができる。
（１）機器にとって適正となる圧力の範囲を設定するときには、セーフティマーク板５を摺動溝７の開口を介して透明カバー４の外部から操作した。このため、透明カバー４を取り外さなくてもセーフティマーク板５を移動させることができ、簡単に機器が必要とする圧力範囲を設定することができる。
【００４６】
また、セーフティマーク板５の上面は、摺動溝７を形成しているケース本体２及び透明カバー４の上面より下方に配置した。このため、セーフティマーク板５への外部からの接触を容易に行うことはできなくなる。従って、所定の指示領域Ａを設定レベル許容領域Ｂと設定レベル不許容領域Ｃとに適正に区画したセーフティマーク板５をその適正に区画した状態で保持できる。
（２）指示指針３が指示する指示レベルを示す目盛４ｂを透明カバー４の上面に印刷し、単位４ｆを遮蔽膜４ｅに形成した。このため、透明カバー４が目盛板を兼用するため、目盛板を別に設ける必要がない。従って、別途の目盛板を設けるスペースが不要となるため、そのスペース分、圧力計１を薄くすることができ、従来よりも薄型である圧力計１を提供することができる。
【００４７】
尚、本発明の実施の形態は以下のように変更してもよく、その場合にも同様の作用及び効果が得られる。
（１）上記実施の形態では、ケース本体２の上面と透明カバー４の上面とを面一に配置し、セーフティマーク板５の上面をそれらよりも下方に配置したが、セーフティマーク板５を図６のようにケース本体２の上面をセーフティマーク板５よりも下方に配置し、セーフティマーク板５の上面をケース本体２の上面よりも低くしてもよい。この場合、透明カバー４は、その上面をセーフティマーク板５の上面よりも下方に位置させるように薄くする。
【００４８】
（２）図７のようにケース本体２の上面をセーフティマーク板５よりも低くし、セーフティマーク板５の上面を透明カバー４の上面よりも下方に配置してもよい。
【００４９】
（３）上記実施の形態では、透明カバー４の下面には緑色の塗布膜を形成し、セーフティマーク板５には赤色をなす不透明プラスチックを用いることにより、圧力計１のグリーンゾーン８とレッドゾーン９を形成したが、緑色や赤色にこだわることなく互いに異なる色であれば何色でもよい。
【００５０】
あるいは、セーフティマーク板５を第２の色として所定の色を有した透明材料で形成して、全体が透明となるようにし、このセーフティマーク板５の色と異なるように透明カバー４の下面に第１の色として前記セーフティマーク板５の色とは異なる色を塗布してもよい。この場合、上記実施の形態の作用及び効果に加えて、次のような作用及び効果を得ることができる。
【００５１】
セーフティマーク板５を移動させることにより、指示領域Ａを設定レベル許容領域Ｂと設定レベル不許容領域Ｃとに区画する場合、透明カバー４の下面とセーフティマーク板５とが重なった部分、すなわち、設定レベル不許容領域Ｃの領域は、お互いの色が混合された状態で視認される。その重複部の混合色と透明カバー４の第１の色とを区別することができるので、指示指針３が機器にとって適正となる圧力の範囲を示しているか否かを判断することができる。
【００５２】
また、透明カバー４の上面に透明な色を施すことにより、透明カバー４の下部に目盛４ｂを印刷しても、透明カバー４の外部から目盛４ｂを視認することができる。
【００５３】
（４）上記実施の形態では、表示領域Ａにおけるグリーンゾーン８を設定レベル許容領域Ｂとし、レッドゾーン９を設定レベル不許容領域Ｃとして使用したが、グリーンゾーン８を設定レベル不許容領域とし、レッドゾーン９を設定レベル許容領域として使用してもよい。尚、グリーンゾーンは第１の色ゾーン、レッドゾーンは第２の色ゾーンに相当する。この第１の色ゾーン、第２の色ゾーンは、互いに異なる色の関係として定義される。
【００５４】
（５）図１〜３に示す実施の形態中、グリーンゾーン８を省略してセーフティマーク板５を赤色を有した透明材料で形成し、係止段部２ｂの上面にグリーンゾーンとなる緑色を施してもよい。この場合、セーフティマーク板５は、透明であるため透明カバー４の外部から前記ケース本体２の係止段部２ｂを視認することができる。従って、係止段部２ｂに色を施すことによって、設定レベル許容領域Ｂはグリーンゾーンの色で表され、設定レベル不許容領域Ｃはグリーンゾーンとセーフティマーク板５の色との混合色によって表示される。
【００５５】
（６）上記実施の形態では、透明カバー４に目盛４ｂを印刷したが、ケース本体２を透明又は半透明材により形成し、その上面あるいは係止段部２ｂに目盛４ｂを印刷してもよい。
【００５６】
（７）上記実施の形態では、透明カバー４を透明のプラスチックにより形成したが、半透明のプラスチック等により形成してもよい。
（８）上記実施の形態では、透明カバー４の上面において、指示指針３が指示しない領域には、印刷による塗布によって白色の遮蔽膜４ｅが半円状に形成され、その領域には指示領域Ａを形成しなかったが、前記遮蔽膜４ｅをなくすことにより、透明カバー４の全周に亘って指示領域Ａを形成してもよい。
【００５７】
（９）上記実施の形態では、透明カバー４の全外周に亘って摺動溝７を形成したが、部分的に摺動溝７がないように透明カバー４を形成してもよい。
（１０）上記実施の形態では、空気圧を計る圧力計として具体化したが、油圧を計る圧力計や他の計器、例えば電圧計、電流計、電力計等としてもよい。
【００５８】
以上、この発明の実施の各形態について説明したが、各形態から把握できる技術思想について、以下にそれらの効果とともに記載する。
（１）各請求項に記載の計器は圧力計であることを特徴とする。このようにすれば、区画部材にて指示指針が指示する圧力の指示領域を設定レベル許容領域と設定レベル不許容領域とに区画することができるので、指示指針が機器にとって適正となる圧力の範囲を示しているか否かを判断することができる。
【００５９】
【発明の効果】
以上詳述したように請求項１に記載の発明によれば、区画部材により指示指針が指示可能な所定の指示領域を設定レベル許容領域と設定レベル不許容領域とに区画することができ、又、外部から区画部材の配置を調整することができるという優れた効果を奏する。また、区画部材への外部からの接触を容易に行うことはできなくなるので、指示指針が指示可能な設定レベル許容領域と設定レベル不許容領域とを適正に区画した区画部材をその適正に区画した状態で保持できるという優れた効果を奏する。
【００６０】
請求項２に記載の発明によれば、請求項１に記載の発明の効果に加えて、摺動溝内に配置された区画部材を保護カバーの外部から摺動させればよいので、保護カバーを取り外すことなく簡単に指示指針の所定の指示領域を設定レベル許容領域と設定レベル不許容領域とに区画することができるという優れた効果を奏する。
【００６２】
請求項３に記載の発明によれば、請求項１又は請求項２に記載の発明の効果に加えて、第１の色及び第２の色により、指示指針が指示可能な所定の指示領域に対応する部分と区画部材とを区別することができるという優れた効果を奏する。
【００６３】
請求項４に記載の発明によれば、請求項３に記載の発明の効果に加えて、第１の色及び第２の色により、指示指針が指示可能な所定の指示領域において設定レベル許容領域と設定レベル不許容領域とを区別することができるという優れた効果を奏する。
【００６４】
請求項５に記載の発明によれば、請求項１乃至請求項４のうちいずれかに記載の発明の効果に加えて、ケース本体と前記保護カバーのうち少なくともいずれか一方が目盛板を兼用するので、別途の目盛板を設けるスペースが不要となるため、そのスペース分、圧力計を薄くすることができ、従来よりも薄型である計器を提供することができるという優れた効果を奏する。
【００６５】
請求項６に記載の発明によれば、請求項３又は請求項４に記載の発明の効果に加えて、保護カバーが目盛板を兼用するので、別途の目盛板を設けるスペースが不要となるため、そのスペース分、圧力計を薄くすることができ、従来よりも薄型である計器を提供することができるという優れた効果を奏する。
【図面の簡単な説明】
【図１】本実施の形態に係る空気圧を計る圧力計の平面図。
【図２】同じく圧力計の断面図。
【図３】本実施の形態の圧力計の要部断面図。
【図４】本実施の形態の圧力計に係るセーフティマーク板の平面図。
【図５】本実施の形態の圧力計に係るセーフティマーク板の側面図。
【図６】圧力計の他の実施の形態の要部断面図。
【図７】圧力計の他の実施の形態の要部断面図。
【符号の説明】
１…圧力計、２…ケース本体、２ａ…収納凹部、２ｂ…係止段部、２ｃ…貫通孔、３…指示指針、３ａ…中央部、３ｂ…挿通孔、３ｃ…針部、４…保護カバーとしての透明カバー、４ａ…収納凹部、４ｂ…目盛、４ｃ…数値、４ｄ…軸部、４ｅ…遮蔽膜、４ｆ…単位、５…第２の色としての赤色が施された区画部材としてのセーフティマーク板、５ａ…抜防止段部、６…受圧部、７…摺動溝、８…第１の色としての緑色が施されたグリーンゾーン、９…レッドゾーン、Ａ…指示領域、Ｂ…設定レベル許容領域、Ｃ…設定レベル不許容領域。
【図１】
0003699567.tif 000002
【図２】
0003699567.tif 000003
【図３】
0003699567.tif 000004
【図４】
0003699567.tif 000005
【図５】
0003699567.tif 000006
【図６】
0003699567.tif 000007
【図７】
0003699567.tif 000008